(57)【特許請求の範囲】
【請求項１】
電解水生成装置によって生成された生成水を吐水するフレキシブル管であって、
このフレキシブル管を、金属で造った可撓性の螺旋管と、螺旋管の内側に挿入したインナーチューブと、螺旋管の外周面の全体に密着状態に被せた外皮チューブと、少くともこれ等インナーチューブと外皮チューブの端部を内側又は外側に固着接続して流路を形成するホース継手管とによって構成したことを特徴とする電解水給水用フレキシブル管。
【請求項２】
インナーチューブを耐酸性又は耐アルカリ性樹脂を用いて構成し、外皮チューブを耐酸性又は耐アルカリ性の熱収縮性樹脂を用いて構成したことを特徴とする請求項１記載の電解水給水用フレキシブル管。
【請求項３】
前記ホース継手管の内側に挿入したインナーチューブの端部内側に、インナーチューブの面を外方に押圧してその外周面の一部をホース継手管の内側面に形成した係合部に押圧係合させることができる固定筒を嵌込むことによって、インナーチューブの端部をホース継手管の内側に接続固定し、且つ、固定筒によって互いに押接し合うインナーチューブの外周面とホース継手管の内周面との間に、前記螺旋管と外皮チューブの端部を挟んで接続固定するように構成したことを特徴とする請求項１記載の電解水給水用フレキシブル管。
【請求項４】
前記インナーチューブと外皮チューブの先端を嵌装する前記ホース継手管の外周面をテーパー面と成し、このテーパー面に上記各チューブの先端を嵌着して、その外周を同じくテーパー面を備えたナット又は締付バンド等から成る締付具で締付けることによって、両チューブの端部をホース継手管の外側に接続固定するように構成したことを特徴とする請求項１記載の電解水給水用フレキシブル管。
【発明の詳細な説明】
【０００１】
【発明の属する技術分野】
本発明は、電解水生成装置によって生成された生成水を吐水するフレキシブル管に関するものである。
【０００２】
【従来の技術】
水道の蛇口や水槽の出水口等に取付けられる吐水用の管に関しては、従来より例えば実開昭５４−７４１６０号公報に見られるような可撓性の螺旋管が多く使用されている。
【０００３】
上記の螺旋管は、金属線を巻いて構成したものであって、可撓性なので水の出る位置や方向を自在に変えることができる利点を備えているが、金属製であるがために、これを電解水生成装置の酸性水の吐出口（蛇口等）に使用した場合には、酸で侵されて腐食してしまう問題がある。
【０００４】
そこで、上記の螺旋管を電解水生成装置の吐出口に使用する場合は、螺旋管の内部に耐腐食性の合成樹脂材料で造ったインナーチューブ（図２、図３で符号７で示した部材に相当）を挿入して、このインナーチューブを水路とすることによって、上述した金属製螺旋管の腐食の問題を解決していた。
【０００５】
【発明が解決しようとする課題】
ところが、上記金属線を巻いて構成した可撓性の螺旋管は、水の吐出方向を螺旋管を曲げたり捻ったりすることによって自在に変えて使用するものであるから、相当無理に曲げたり捻ったりして過酷な状態で使用される場合があり、その場合、螺旋管内部のインナーチューブと螺旋管は、必ずしも一体に成ってその形状を変えるものとは限らず、インナーチューブに局部的な変形が生じてしまう問題があった。
【０００６】
即ち、例えば螺旋管を屈曲状態（捻り状態）から元の状態に戻した場合に、インナーチューブの変形が螺旋管と一緒に元通りの形状に戻るとは限らず、途中で折れ曲がったり変形した状態のままであったりして、必ずしも元通りには復元せず、その結果、捻りと戻しを繰返すうちにインナーチューブの変形が益々進んでしまって、最終的には、インナーチューブが折れ曲がった状態のままに成ってしまって、管路を閉塞してしまう問題が発生していた。
【０００７】
尚、上記の折れ曲り現象は、螺旋管を局部的に繰返し屈曲変形させることによって発生するものであって、この現象発生を防ぐには出来るだけ局部的な捻じりや曲げを繰返さないことであるが、不特定多数の利用者が使用する電解水生成装置の場合には、上記の注意事項を全ての利用者に守らせることは非常に難しく、上記インナーチューブによる閉塞の問題を確実に解消することはできなかった。
【０００８】
従って本発明の技術的課題は、電解水生成装置にインナーチューブを挿入した螺旋管から成るフレキシブル管を取付けて生成水を吐出する場合に、螺旋管を曲げたり捻じったりしても、インナーチューブの変形が全体的に行われて、局部的な変形が生じないように工夫すると共に、金属製の螺旋管が錆ないように工夫した電解水給水用フレキシブル管を提供することである。
【０００９】
【課題を解決するための手段】
（１）  上記の技術的課題を解決するために、本発明では前記請求項１に記載の如く、電解水生成装置によって生成された生成水を吐水するフレキシブル管であって、このフレキシブル管を、金属で造った可撓性の螺旋管と、螺旋管の内側に挿入したインナーチューブと、螺旋管の外周面の全体に密着状態に被せた外皮チューブと、少くともこれ等インナーチューブと外皮チューブの端部を内側又は外側に固着接続して流路を形成するホース継手管とによって構成したため、螺旋管を屈曲したり捻じったりすると外皮チューブが螺旋管に収縮状態で密着して螺旋管が部分的に大きく曲げられたり捻じられないようにし、螺旋管の全体が比較的均一な状態で変形されることになるから、その結果、インナーチューブ自体も部分的な曲りや変形を受けにくくなって、変形による管内閉塞の問題を解消することができる。
【００１０】
（２）  また、本発明では前記請求項２に記載の如く、インナーチューブを耐酸性又は耐アルカリ性樹脂を用いて構成し、外皮チューブを耐酸性又は耐アルカリ性の熱収縮性樹脂を用いて構成したため、螺旋管の内外両面を各チューブで覆って錆や汚れの問題を解消すると共に、特に、外皮チューブは熱収縮性樹脂を使用しているため、これを螺旋管に被せた後、上から湯をかけて螺旋管の外周面に収縮状態に密着させることにより、螺旋管の曲げや捻じりが管全体に均一に及ぶようにして、上記インナーチューブの変形による管内閉塞の問題を解消することを可能にする。
【００１１】
（３）  また、本発明では前記請求項３に記載の如く、前記ホース継手管の内側に挿入したインナーチューブの端部内側に、インナーチューブの面を外方に押圧してその外周面の一部をホース継手管の内側面に形成した係合部に押圧係合させることができる固定筒を嵌込むことによって、インナーチューブの端部をホース継手管の内側に接続固定し、且つ、固定筒によって互いに押接し合うインナーチューブの外周面とホース継手管の内周面との間に、前記螺旋管と外皮チューブの端部を挟んで接続固定するように構成したため、フレキシブル管の組立てに当っては、内外にインナーチューブと外皮チューブを装着した螺旋管の先端をホース継手管内に挿入して、その先端部をホース継手管から突き出し、突き出たインナーチューブの内側に固定筒を挿入した後、螺旋管を引いて突き出た先端部をホース継手管内部に引込むと、固定筒がインナーチューブを押接してその外周面の一部をホース継手管の係合部に係合させるため、インナーチューブを螺旋管の内部にしっかりと固定して、螺旋管の内側面を酸性水から守ることができると共に、螺旋管と外皮チューブの各先端を上記インナーチューブとホース継手管との間に挟持固定できるため、螺旋管と内外のチューブの外先端をホース継手管にしっかりと接続固着したフレキシブル管を、比較的簡単に組立てることを可能にする。
【００１２】
（４）  更に、本発明では前記請求項４に記載の如く、前記インナーチューブと外皮チューブの先端を嵌装する前記ホース継手管の外周面をテーパー面と成し、このテーパー面に上記各チューブの先端を嵌着して、その外周を同じくテーパー面を備えたナット又は締付バンド等から成る締付具で締付けることによって、両チューブの端部をホース継手管の外側に接続固定するように構成したため、内外のチューブをホース継手管のテーパー面に嵌装してこれをナットや締付バンド等の締付具によって締付けるだけで、内外のチューブをしっかりとホース継手管側に接続固着したフレキシブル管を、比較的簡単に組立てることを可能にする。
【００１３】
【発明の実施の形態】
以下に、本発明に係る電解水給水用フレキシブル管の実施の形態を図面と共に説明すると、図１は本発明の実施例を示した斜視図であって、図中、ＳＨは例えば特開平１１−２４４８６０号公報等で公知の電解水生成装置、ＳＡは洗浄用の強アルカリ性水を専用の蛇口から吐出させる場合に用いる洗浄用押ボタンで、Ｒ２はそのパイロットランプで、ＳＢは除菌用の強酸性水を専用の蛇口から吐出させる場合に用いる除菌用押ボタンで、Ｒ３はそのパイロットランプ、ＳＴは最初に強アルカリ性水を吐出して洗浄し、次いで、強酸性水を吐出して除菌する場合に用いる洗浄除菌用押ボタンで、Ｒ１はそのパイロットランプ、Ｒ４は使用可能状態を明示するパイロットランプ、ＳＶは上記強アルカリ性水と強酸性水の吐出口を示す。
【００１４】
また、符号１で全体的に示したのは本発明に係るフレキシブル管で、図中、２と３はフレキシブル管１の両端に取付けた固定側ホース継手管と吐水側ホース継手管、２Ａと３Ａはこれ等各継手管２，３に一体形成したナット部で、固定側ホース継手管２は前記電解水生成装置ＳＨの吐出口ＳＶに接続自在に構成されており、吐水側ホース継手管３には開閉バルブ４Ｋ付きのシャワーノズル４が接続自在に構成されていて、バルブ４Ｋを開くと、前記いずれかの押ボタンＳＡ，ＳＢ，ＳＴのオン操作に従って符号ＭＷで示す様に前述した強アルカリ性水又は強酸性水のいずれか、或は、その両方がフレキシブル管１を通して吐出される仕組に成っている。尚、符号１０で示したのは除フレキシブル管１（具体的には螺旋管）の外側に被せた外皮チューブであるが、このフレキシブル１の具体的な構造は図２と図３の記載に基づいて後述する。
【００１５】
図２は、上記フレキシブル管１の一例を示した一部断面側面図であって、図中、６は例えば前述した実開昭５４−７４１６０号公報等で既に公知の可撓性の螺旋管で、金属線を巻いて形成したこの螺旋管６を使用するフレキシブル管１は、水の吐出方向を螺旋管６を曲げたり捻じったりすることによって自在に変えて使用できるように構成されている。
【００１６】
また、７は金属製の螺旋管６を酸性水による腐食から保護するために、螺旋管６の内側に挿通したインナーチューブ、１０は螺旋管６の局部的な屈曲や捻じれを防止するために、螺旋管６の外側に被せた前述の外皮チューブで、インナーチューブ７は耐酸性と耐アルカリ性を備えた各種の合成樹脂材料を用いて比較的肉厚に造られており、一方、上記の外皮チューブ１０は、螺旋管６に被せた後、湯をかけることによって螺旋管６の外周面に収縮させて密着できるように、例えばエチレンプロピレンゴムの様な耐熱性と耐アルカリ性を備え、且つ、熱収縮性を備えた合成樹脂材料を用いて比較的肉薄に造られている。
【００１７】
更に図中、２′と３′は内外にチューブ７，１０を装着した上記螺旋管６の両端部に取付ける前述した固定側ホース継手管２と、吐水側ホース継手管３の内周面に形成した段差状の係合部、４と５は上記インナーチューブ７の両端部７Ａ，７Ｂの内側に圧入することによって、両端部７Ａ，７Ｂの外周面の一部を図示の様に外方に突出させて上記の段差部２′、３′に係合させることができる固定筒で、４Ａと５Ａは両端部７Ａ，７Ｂの外周面を外方に突出させるために、固定筒４，５の外周面に突設した突起部である。
【００１８】
以上の如く構成したフレキシブル管１を組立てるには、先ず、螺旋管６の内外にインナーチューブ７と外皮チューブ１０を装着した後、螺旋管６の両端部６Ａ，６Ｂを各チューブ７，１０と共に各ホース継手管２，３内に挿入して、その先端部を各ホース継手管２，３の口２Ｓ，３Ｓを突き抜いた状態で外側に突き出し、この突き出た螺旋管６のインナーチューブ７の両先端部７Ａ，７Ｂ内に上述した固定筒４，５を嵌込む。
【００１９】
次いで、この突き出た両端部を夫々両ホース継手管２，３の内部に引込むと、固定筒４，５の突起部４Ａ，５Ａがインナーチューブ７の両先端部７Ａ，７Ｂの内周面を外方に押接しながら引込まれて、その外周面の一部を図示したように外方に突出して前述した係合部２′、３′に係合するため、インナーチューブ７の両先端部７Ａ，７Ｂを各ホース継手管２，３に接続固定できると共に、合せて、上記固定筒４，５がインナーチューブ７を外側に押圧して、インナーチューブ７の外周面と両ホース継手管２，３の内周面の間に上記螺旋管６と外皮チューブ１０の両端部を挟み込むため、上記螺旋管６と内外のチューブ７，１０とから成るフレキシブル管１の両端部に、各ホース継手管２，３を確実に、且つ、比較的簡単に接続固定して螺旋管６を酸性水から守ることができる。
【００２０】
尚、図２に於いて２Ｎと３Ｎ固定側ホース継手管２と吐水側ホース継手管３に設けた接続用のネジ部、８，９は各ホース継手管２，３内に嵌込んだリング、１１は吐水側ホース継手管３に嵌装したＯリングである。
【００２１】
図３は、上記フレキシブル管１の他の構造を説明した一部断面側面図であって、図中、２Ｄと３Ｄは上記各ホース継手管２，３に形成したテーパー部、１２と１３はこれ等両テーパー部２Ｄ，３Ｄの外側を覆うように両ホース継手管２，３のネジ部２Ｍ，３Ｍに締付自在に装着した締付ナットで、これ等両締付ナット１２，１３の内側面には上記ホース継手管２，３のテーパー部２Ｄ，３Ｄに対応するテーパー面が形成されていて、これ等テーパー部２Ｄ，３Ｄとテーパー面の間に前述したインナーチューブ７の両端部７Ａ，７Ｂと、外皮チューブ１０の両端部１０Ａ，１０Ｂを重ねて挟み込んで、両締付ナット１２，１３を締付けると、両チューブ７，１０の両端部７Ａ，７Ｂと１０Ａ，１０Ｂが両ホース継手管２，３に締付固定されて、フレキシブル管１の両端部に両ホース継手管２，３を確実に、且つ、比較的簡単に接続して、螺旋管６を酸性水から守ることができる。
【００２２】
尚、図３に示した実施例では、ナット１２，１３を用いてフレキシブル管１の両端部を両ホース継手管２，３に締付固定しているが、代りに、締付バンドを用いて締付固定してもよく、その選択は任意とする。また、前記図２で示した部材と同じ部材は同じ符号を付してその説明を省略する。更に、図３に於いて６Ａ，６Ｂは前記螺旋管６の両端部で、この実施例では内外のチューブ７，１０の両端部７Ａ，７Ｂと１０Ａ，１０Ｂだけを両ホース継手管２，３に接続固定する仕組に成っている。
【００２３】
本発明に係る電解水給水用フレキシブル管は以上述べた如き構成であるから、このフレキシブル管１を図１の如く電解水生成装置ＳＨの吐出口ＳＶに接続して、アルカリ性水や酸性水の吐水に利用でき、また、酸性水はフレキシブル管１のインナーチューブ７の内部を流れるため、酸性水による金属製螺旋管６の腐食を防止することができる。
【００２４】
更に本発明では、螺旋管６の外側に被せた外皮チューブ１０が、螺旋管６の外周面に収縮状態で密着しているため、これが螺旋管６の外側面を酸性水の腐食から守ることができると共に、螺旋管６を曲げたり捻じったりした際に、螺旋管６が部分的に大きく曲げられたり捻じられたりすることがなく、螺旋管６が全体的に、且つ、均一な状態に変形されることになるから、インナーチューブ７自体も部分的な曲がりや捻じりの変形を受けにくくなり、その結果、インナーチューブ７が変形して管路を閉塞する問題の発生を防止することができる。
【００２５】
【発明の効果】
以上述べた次第で、本発明に係る電解水給水用フレキシブル管によれば、金属製螺旋管の内外両面を酸性水による腐食から守ることができると共に、螺旋管の曲げや捻じり等に対しても、インナーチューブを局部的に変形させて管路を閉塞してしまうようなことがなく、電解水を正常に吐出させることができる利点を備えるものであって、組立てが簡単で実施が容易な点と相俟って、各種構造の電解水生成装置に実施して、洵に好適なものである。
【図面の簡単な説明】
【図１】本発明に係る電解水給水用フレキシブル管の実施例を示した斜視図である。
【図２】本発明の構成を説明した一部断面側面図である。
【図３】本発明の他の構成を説明した一部断面側面図である。
【符号の説明】
ＳＨ            電解水生成装置
１              フレキシブル管
２              固定側ホース継手管
３              吐水側ホース継手管
２′，３′      係合部
４，５          固定筒
６              螺旋管
７              インナーチューブ
１０            外皮チューブ
【図１】
0003700830.tif 000002
【図２】
0003700830.tif 000003
【図３】
0003700830.tif 000004